(57)【要約】【課題】  天板の上面に載置するパーソナルコンピュータ等の電子情報機器に電源を供給する電源ケーブル等の強電ケーブルと、該電子情報機器とネットワーク接続する通信用ケーブル等の弱電ケーブルを、互に間隔を隔てて電気的に分離した状態で天板の上下に貫通して配線することができ、またケーブルの余剰部分を収納して天板上を整然とすることができる配線機能付きテーブルを提供する。【解決手段】  天板１の略中央部に上下貫通した横長の開口部３を単又は複数形成し、開口部内に相対向する長辺側両開口縁との間に挿通孔７を設けてカバー体４を着脱可能に装着し、開口部の下方に平面視形状において開口部の寸法より大きく且つ天板の寸法より小さいケーブル受板５を天板下面との間に間隔を置いて横設し、両挿通孔に対応するケーブル受板の上面にケーブル分離手段６を突設した。【選択図】        図１
2006141591.tif 000002
【特許請求の範囲】
【請求項１】
天板の略中央部に上下貫通した横長の開口部を単又は複数形成するとともに、該開口部内に相対向する長辺側両開口縁との間に挿通孔を設けてカバー体を着脱可能に装着し、該開口部の下方に平面視形状において該開口部の寸法より大きく且つ前記天板の寸法より小さいケーブル受板を前記天板下面との間に間隔を置いて横設するとともに、前記両挿通孔に対応するケーブル受板の上面にケーブル分離手段を突設したことを特徴とする配線機能付きテーブル。
【請求項２】
前記ケーブル分離手段が、前記両挿通孔に沿って延びた隔壁片を前後縁に有する断面略コ字形の分離部材であり、該分離部材を前記ケーブル受板の上面に取付けてなる請求項１記載の配線機能付きテーブル。
【請求項３】
前記ケーブル分離手段が、前記両挿通孔の略延長線上に対応する一対の吊支片を有する吊支部材であり、複数の前記吊支部材を前記ケーブル受板の上面に取付けるとともに、前記開口部の長手方向外側に対応する天板下面に取付けて、当該ケーブル受板を吊下げ状態で保持してなる請求項１又は２記載の配線機能付きテーブル。
【請求項４】
前記開口部内で長手方向の両端部に、前記カバー体の上面と前記天板の上面とが略面一になるように、該カバー体の下面端部を載支する受部を有する支持部材を設けるとともに、前記カバー体の下面両端部に設けたラッチを着脱可能に係合するラッチ受けを前記支持部材に設けてなる請求項１〜３何れかに記載の配線機能付きテーブル。
【発明の詳細な説明】
【技術分野】
【０００１】
本発明は、配線機能付きテーブルに係わり、更に詳しくは例えば天板にコード挿通孔とその下方に配線ダクトを設けた配線機能付きテーブルに関するものである。
【背景技術】
【０００２】
従来から、机やテーブルの天板にコード挿通孔とその下方に配線ダクトを設けた配線機能付きテーブルは各種提供されている。例えば、特許文献１には、天板には開口部が設けられ、該開口部の下方には配線ダクトが配設されると共に前記開口部は開閉可能な蓋体によって前記天板の上面と略面一に閉塞され、前記蓋体の下面と前記配線ダクトの底面との間で形成される空間が電源コードや通信用ケーブル等の接続端子が組み込まれた保持板によって上下に区画され、前記蓋体の周縁部には、配線コードが挿通可能な切欠部が複数個設けられているテーブルの配線ダクト構造が開示されている。
【０００３】
また、特許文献２には、天板に形成した開口部にボックス本体の収納物出入口を臨ませた状態で着脱可能に取付けられる収納ボックスであって、前記ボックス本体が、前記収納物出入口を形成する第１のボックス本体要素と、前記第１のボックス本体要素に支持される第２のボックス本体要素とを具備してなり、前記第１、第２のボックス本体要素間に天板の一部を挟み込んだ状態で、両ボックス本体要素を連結することにより天板に支持され、蓋体が少なくともその外縁の一部と対向するボックス本体の開口縁間に上方に開口した隙間を形成した状態でボックス本体の収納物出入口を閉止する位置に着脱可能に装着された収納ボックスが開示されている。
【０００４】
しかし、特許文献１に記載のものは、配線ダクトの内部に電源コードや通信用ケーブル等の接続端子が組み込まれ、天板上に載置して使用するパーソナルコンピュータの電源コードを接続するとともに、通信用ケーブルを接続することができ、それたのコード又はケーブルを蓋体の周縁部に形成した切欠部を通して配線できるものの、強電ケーブル（電源コード）と弱電ケーブル（通信用ケーブル）を配線ダクト内部で分離して配線する構造ではない。一方、特許文献２に記載のものは、蓋体の外縁と収納ボックスの開口縁間に開口した隙間を通して、配線コードの余剰分を収納ボックス内に収納することができるとともに、収納ボックス内に設けた網棚上に、随時取り出す配線類やＡＣアダプタ等を載置するとともに、常時収納しておく配線類やＡＣアダプタ等は底壁上に載置し、常時収納しておくものと随時取り出すものを分別して収納することができると記載されているものの、強電ケーブルと弱電ケーブルを分離して配線することを意図したものではない。
【特許文献１】特開２００１−１２８７４５号公報
【特許文献２】特開２００１−１６１４４９号公報
【発明の開示】
【発明が解決しようとする課題】
【０００５】
そこで、本発明が前述の状況に鑑み、解決しようとするところは、天板の上面に載置するパーソナルコンピュータ等の電子情報機器に電源を供給する電源ケーブル等の強電ケーブルと、該電子情報機器とネットワーク接続する通信用ケーブル等の弱電ケーブルを、互に間隔を隔てて電気的に分離した状態で天板の上下に貫通して配線することができ、またケーブルの余剰部分を収納して天板上を整然とすることができる配線機能付きテーブルを提供する点にある。
【課題を解決するための手段】
【０００６】
本発明は、前述の課題解決のために、天板の略中央部に上下貫通した横長の開口部を単又は複数形成するとともに、該開口部内に相対向する長辺側両開口縁との間に挿通孔を設けてカバー体を着脱可能に装着し、該開口部の下方に平面視形状において該開口部の寸法より大きく且つ前記天板の寸法より小さいケーブル受板を前記天板下面との間に間隔を置いて横設するとともに、前記両挿通孔に対応するケーブル受板の上面にケーブル分離手段を突設してなる配線機能付きテーブルを構成した（請求項１）。
【０００７】
ここで、前記ケーブル分離手段が、前記両挿通孔に沿って延びた隔壁片を前後縁に有する断面略コ字形の分離部材であり、該分離部材を前記ケーブル受板の上面に取付けてなることが好ましい（請求項２）。
【０００８】
更に、前記ケーブル分離手段が、前記両挿通孔の略延長線上に対応する一対の吊支片を有する吊支部材であり、複数の前記吊支部材を前記ケーブル受板の上面に取付けるとともに、前記開口部の長手方向外側に対応する天板下面に取付けて、当該ケーブル受板を吊下げ状態で保持してなることが好ましい（請求項３）。この場合、分離部材と吊支部材を併用することが特に好ましい。
【０００９】
また、前記開口部内で長手方向の両端部に、前記カバー体の上面と前記天板の上面とが略面一になるように、該カバー体の下面端部を載支する受部を有する支持部材を設けるとともに、前記カバー体の下面両端部に設けたラッチを着脱可能に係合するラッチ受けを前記支持部材に設けてなることがより好ましい（請求項４）。
【発明の効果】
【００１０】
以上にしてなる請求項１に係る発明の配線機能付きテーブルは、天板の略中央部に上下貫通して形成した横長の開口部内に、カバー体を装着した状態で、該開口部の長辺側両開口縁とカバー体の前後縁との間に二つの挿通孔が形成されるので、両挿通孔のそれぞれに天板の上面に載置するパーソナルコンピュータ等の電子情報機器に電源を供給する電源ケーブル等の強電ケーブルと、該電子情報機器とネットワーク接続する通信用ケーブル等の弱電ケーブルを挿通することにより、互に十分に間隔を開けて配線することができ、またその下方のケーブル受板上に設けたケーブル分離手段にて強電ケーブルと弱電ケーブルとを電気的に分離した状態で配線及びケーブルの余剰部分を収容することが可能である。また、前記ケーブル受板の周囲が開放されているので、天板下方に設置した電子情報機器本体にケーブルを接続したり、アクセスフロアに対するケーブルの配線を行うことも容易である。また、天板の前後両側から対面して使用する場合、各側に載置した電子情報機器に接続するケーブルを対応する側の挿通孔を利用して配線することができる。
【００１１】
請求項２によれば、ケーブル分離手段として、前記両挿通孔に沿って延びた隔壁片を前後縁に有する断面略コ字形の分離部材を用い、該分離部材を前記ケーブル受板の上面に取付けることによって、ケーブル受板の上面を前側隔壁片の前方及び後側隔壁片の後方の二系統に分けることができ、それぞれに強電ケーブルと弱電ケーブルとを配線及びケーブルの余剰部分を収容することが可能であり、更に両隔壁片間の空間にテーブルタップやその他の接続端子ボックスを配置して強電ケーブルあるいは弱電ケーブルを接続することも可能である。
【００１２】
請求項３によれば、ケーブル分離手段として、前記両挿通孔の略延長線上に対応する一対の吊支片を有する吊支部材を用い、複数の前記吊支部材を前記ケーブル受板の上面に取付けるとともに、前記開口部の長手方向外側に対応する天板下面に取付けることにより、当該ケーブル受板を前記天板下面との間に間隔を置いて吊下げ状態で保持することができ、ケーブル受板の上面を前側吊支片の前方及び後側吊支片の後方の二系統に分けることができ、それぞれに強電ケーブルと弱電ケーブルとを配線及びケーブルの余剰部分を収容することが可能であり、また両吊支片の間を利用して強電ケーブル又は弱電ケーブルの一方のケーブルを配線することにより、ケーブルをケーブル受板に確実に収容することができる。
【００１３】
請求項４によれば、天板の開口部内にカバー体を装着した状態で、該天板とカバー体の上面とが略面一になるので、外観性に優れるとともに、カバー体が天板上で機器の載置又は作業における支障とはならず、しかもケーブルのコネクターが前記挿通孔を通過しないような大型である場合にも、該カバー体を外して開口部を全開にすることにより容易に配線することができるのである。また、ラッチとラッチ受との係合であるので、カバー体の開口部への着脱が容易であるとともに、カバー体を支持部材の受部に載置するので支持強度も高いのである。
【発明を実施するための最良の形態】
【００１４】
次に、添付図面に示した実施形態に基づき、本発明を更に詳細に説明する。図１は本発明に係る配線機能付きテーブルを示し、図２〜図７はその詳細を示し、図中符号１は天板、２は脚部、３は開口部、４はカバー体、５はケーブル受板、６はケーブル分離手段をそれぞれ示している。本実施形態の配線機能付きテーブルは、大型長形の前記天板１の下面両側部を門型の脚部２，２で支持した構造であるが、本発明において前記脚部２の構造は任意である。
【００１５】
本発明に係る配線機能付きテーブルは、天板１の略中央部に上下貫通した横長の開口部３を単又は複数形成するとともに、該開口部３内に相対向する長辺側両開口縁との間に挿通孔７，７を設けてカバー体４を着脱可能に装着し、該開口部３の下方に平面視形状において該開口部３の寸法より大きく且つ前記天板１の寸法より小さいケーブル受板５を前記天板１下面との間に間隔を置いて横設するとともに、前記両挿通孔７，７に対応するケーブル受板５の上面にケーブル分離手段６を突設したものである。
【００１６】
具体的には、図１〜図５に示すように、天板１は横長の一枚物であり、略中央部に横長の開口部３を上下貫通して形成し、該開口部３内の長手方向両端部に、支持部材８，８を取付け、該支持部材８，８に設けた受部９，９で前記カバー体４の下面両端部を載支するとともに、前記カバー体４の下面両端部に設けたラッチ１０を、前記支持部材８の受部９に近接して設けたラッチ受け１１に着脱可能に係合して、前記カバー体４を前記開口部３内に装着する。この際、前記開口部３内に前記カバー体４を装着した状態で、前記開口部３内に相対向する長辺側両開口縁とカバー体４の前後縁との間に挿通孔７，７が形成されるとともに、前記カバー体４の上面と前記天板１の上面とが略面一になるのである。尚、前記カバー体４の左右両端縁と開口部３の短辺側開口縁との間は、配線には使用しないので、この隙間は有っても無くても良く、外観性のみを考慮して決定することになる。
【００１７】
そして、前記天板１の開口部３の下方に、前記ケーブル受板５を該天板１下面との間に間隔を置いて横設するのである。本実施形態では、前記ケーブル受板５は、前後縁にケーブルの落下を防止する側片１２，１２を立上げ形成したものである。そして、前記ケーブル受板５の長手方向の両端部上面に吊支部材１３，１３を取付けるとともに、該吊支部材１３，１３を前記天板１の下面で前記開口部３の長手方向外側位置に取付け、天板１の下面側に吊下げた状態で設けるのである。
【００１８】
前記吊支部材１３は、金属板片を側面視倒コ字形に折曲して形成したもので、前後両側に一対の吊支片１４，１４を有している。そして、両吊支片１４，１４の下端を前記ケーブル受板５の上面に溶接して固定するとともに、両吊支片１４，１４の上端間に連続した上板１５を前記天板１の下面にネジ止めして取付ける。前記両吊支片１４，１４の間隔は、図５に示すように、前記カバー体４の前後幅に近似させており、前記挿通孔７から下方へ引き込んだケーブルを各吊支片１４の外側に配置できるようにしている。尚、前記ケーブル受板５は、天板１の下面に間隔を置いて吊下げた状態に横設するので、使用者が天板１の前面側に座った際に、当該ケーブル受板５が使用者の足に邪魔にならない位置に設定されている。
【００１９】
ここで、前記吊支部材１３の両吊支片１４，１４が、前記ケーブル分離手段６となり、前記ケーブル受板５の上面を強電ケーブルと弱電ケーブルを配線するための二系統の領域に分離するのである。前記両吊支片１４，１４の間に間隔を設けているので、強電ケーブルと弱電ケーブルとを空間的に十分に引離して配線することができ、強電ケーブルから発せられる電気的ノイズの影響が弱電ケーブルへ及ばないようにしている。また、両吊支片１４，１４間を利用してケーブルを確実に保持して配線することも可能である。
【００２０】
また、前記ケーブル受板５の上面で、前記両吊支部材１３，１３の間に、前記両挿通孔７，７に沿って延びた隔壁片１７，１７を前後縁に有する断面略コ字形の分離部材１６を取付けている。前記ケーブル受板５の底板１８を前記ケーブル受板５の上面にネジ止めしたり、また底板１８の下面に突設したＬ字形のフックを前記ケーブル受板５の上面に開口した係合孔に嵌合係止する等の手段にて取付け、更に長手方向に沿って取付ける位置を変更できるようにすることも好ましい。そして、前記分離部材１６の両隔壁片１７，１７の間隔は、図５に示すように、前記カバー体４の前後幅に近似させており、つまり前記吊支部材１３の両吊支片１４，１４の間隔に略一致し、前記挿通孔７から下方へ引き込んだケーブルを各隔壁片１７の外側に配置できるようにしている。
【００２１】
ここで、前記分離部材１６の両隔壁片１７，１７が、前記ケーブル分離手段６となり、前記ケーブル受板５の上面を強電ケーブルＡと弱電ケーブルＢを配線するための二系統の領域に分離するのである。また、両隔壁片１７，１７間の空間に、テーブルタップＴやその他の接続端子ボックスＣを配置して強電ケーブルＡあるいは弱電ケーブルＢを接続することも可能である。図６は、前記分離部材１６の両隔壁片１７，１７間にテーブルタップＴを配置し、強電ケーブルＡを接続できるようにするとともに、ケーブル受板５の一方の側片１２とそれに対向する隔壁片１７との間に接続端子ボックスＣを配置し、弱電ケーブルＢを接続できるようにしている。また、図７は、ケーブル受板５の一方の側片１２とそれに対向する隔壁片１７との間にテーブルタップＴを配置し、強電ケーブルＡを接続できるようにするとともに、ケーブル受板５の他方の側片１２とそれに対向する隔壁片１７との間に接続端子ボックスＣを配置し、弱電ケーブルＢを接続できるようにしている。
【００２２】
次に、図３〜図５に基づいて、前記カバー体４を開口部３内に着脱可能に装着する構造を詳しく説明する。前記支持部材８は、金属板をプレス加工したものであり、前記天板１の下面にネジ止めする固定片１９を有し、該固定片１９に連続して前記開口部３の側壁に沿って立ち上がった前記受部９を形成し、更に該受部９に連続して段落ちした取付片２０を形成したものであり、該取付片２０に形成した開口２１に前記ラッチ受け１１の本体部２２を上方から挿入するとともに、該本体部２２の上縁に張り出した突片２３，２３を前記取付片２０の上面に当接した状態でネジ止め固定する。また、前記ラッチ受け１１の本体部２２の内部には、一対の先太弾片２４，２４を有し、前記カバー体４の下面に取付けたラッチ１０の矢型係合部２５を上方から両弾片２４，２４の間に弾性係合できるようになっている。ここで、前記ラッチ１０は、係合部２５の上端に一体形成した取付部２６を前記カバー体４の下面端部にネジ止めする。
【００２３】
そして、図４及び図５に示すように、前記カバー体４を天板１の開口部３内に落とし込むと、前記ラッチ１０がラッチ受け１１に係脱可能に係合すると同時に、前記カバー体４の下面端部が前記支持部材８の受部９に載支される。この状態で、前記カバー体４の上面と天板１の上面とが略面一になるとともに、前記開口部３の前後縁とカバー体４の前後縁との間にそれぞれ前記挿通孔７が形成されるのである。尚、前記開口部３とカバー体４の平面視形状は長方形に限定されるものではないが、横長の長方形が最も好ましい。
【００２４】
尚、前述の実施形態では、前記天板１の厚みよりカバー体４の厚みが薄い場合を説明したが、前記天板１とカバー体４の厚みが同じでも良く、その場合には図８に示すように、前記受部９の高さが前記固定片１９の延長面上になる。その他の構造は、前記同様であるので、同一構成には同一符号を付してその説明は省略する。
【００２５】
図９は、前記天板１の形状が横長であり、その前後中心線に沿って二つの横長開口部３，３を、所定間隔を置いて形成し、それぞれに前記同様にカバー体４，４を着脱可能に装着できるようにしたものである。そして、前記開口部３，３の下方に、両開口部３，３に跨った長尺のケーブル受板５を、その上面の両端部及び中央部に固定した前記同様の吊支部材１３，…で天板１の下面に吊下げ状態で取付けるのである。また、このケーブル受板５の上面には、各開口部３，３に対応して二つの前記同様の分離部材１６，１６を設けている。その他の構成は前記同様であるので、同一構成には同一符号を付して、その説明は省略する。
【００２６】
最後に、前述の実施形態では、前記ケーブル受板５を吊支部材１３で天板１の下面に吊下げ状態で取付けたが、該吊支部材１３を用いないで、該ケーブル受板５を前記天板１下面との間に間隔を置いて横設することが可能である。つまり、図１０に示すように、前記天板１を支持する両脚部２，２の上部間に平行に２本の支持杆２７，２７を横設し、前記ケーブル受板５の前後両側縁部に該支持杆２７を受け入れる凹部２８をそれぞれ形成し、両凹部２８，２８を前記支持杆２７，２７に上方から嵌合して載支することにより、天板１の下面との間に間隔を置いて横設することが可能である。具体的には、前記ケーブル受板５の凹部２８は、該ケーブル受板５を形成する金属板を上方へ断面略Ｌ字形に屈曲して形成している。この凹部２８を設けることによって上方へ突出した部分は、ケーブルを落下しないように保持するためにも有効である。
【図面の簡単な説明】
【００２７】
【図１】本発明に係る配線機能付きテーブルの全体斜視図である。
【図２】同じく要部の分解斜視図である。
【図３】カバー体の開口部内への装着構造を示す拡大分解斜視図である。
【図４】同じくカバー体を開口部内に装着した状態の部分縦断正面図である。
【図５】同じくカバー体を開口部内に装着した状態の部分縦断側面図である。
【図６】ケーブルの配線状態の一例を示す部分説明用平面図である。
【図７】ケーブルの配線状態の他例を示す部分説明用平面図である。
【図８】天板とカバー体の厚みが同じ場合のカバー体を開口部内に装着した状態の部分縦断正面図である。
【図９】開口部を二つ設けた実施形態を示す要部の分解斜視図である。
【図１０】ケーブル受板の他の支持構造を示す部分縦断側面図である。
【符号の説明】
【００２８】
１  天板                ２  脚部
３  開口部              ４  カバー体
５  ケーブル受板        ６  ケーブル分離手段
７  挿通孔              ８  支持部材
９  受部                １０  ラッチ
１１  ラッチ受け        １２  側片
１３  吊支部材          １４  吊支片
１５  上板              １６  分離部材
１７  隔壁片            １８  底板
１９  固定片            ２０  取付片
２１  開口              ２２  本体部
２３  突片              ２４  弾片
２５  係合部            ２６  取付部
２７  支持杆            ２８  凹部
Ａ  強電ケーブル        Ｂ  弱電ケーブル
Ｃ  接続端子ボックス    Ｔ  テーブルタップ
【図１】
2006141591.tif 000003
【図２】
2006141591.tif 000004
【図３】
2006141591.tif 000005
【図４】
2006141591.tif 000006
【図５】
2006141591.tif 000007
【図６】
2006141591.tif 000008
【図７】
2006141591.tif 000009
【図８】
2006141591.tif 000010
【図９】
2006141591.tif 000011
【図１０】
2006141591.tif 000012